(57)【特許請求の範囲】
【請求項１】
エレベータのかごの天井板と、
前記天井板よりも上部に位置し、前記かごの内部に送り込む風を発生させるファンと、
前記ファンに設けられ、前記ファンで発生させた風を送り出す孔である第一の吹き出し口と、
前記天井板に設けられ、前記ファンで発生させた風をかご内に送り込む孔である第二の吹き出し口と、
前記ファンと前記天井板の間に位置し、前記第二の吹き出し口の上に設けられ、前記第一の吹き出し口から流れてきた風を前記かご内へと導くアダプターと、
を備え、
前記アダプターは、前記天井板に対して前記ファンを傾斜して取り付けるための面である斜面と、該斜面に設けられ、前記第一の吹き出し口と接続され、前記第一の吹き出し口から送り込まれる風を流す孔である接続部と、を有し、
前記第一の吹き出し口と前記第二の吹き出し口とは、投影面上重ならない位置に存在することを特徴とするエレベータのかご。
【請求項２】
前記斜面は、前記天井板に対して略４５°の傾きを有することを特徴とする請求項１に記載のエレベータのかご。
【請求項３】
前記斜面は、前記天井板に対して１５°乃至３０°の傾きを有することを特徴とする請求項１に記載のエレベータのかご。
【請求項４】
前記アダプターは、前記接続部の縁近傍から前記第二の吹き出し口に向けて、風の流れを誘導する、対向する二枚の整風板をさらに有することを特徴とする請求項１乃至請求項３のいずれか一項に記載のエレベータのかご。
【請求項５】
前記アダプター及び前記整風板のいずれか一方もしくは双方に、騒音の低減のための防音材を有することを特徴とする請求項４に記載のエレベータのかご。
【請求項６】
前記アダプターに設けられ、前記天井板と前記アダプターとを接続するための第一の接続部と、
前記ファンに設けられ、前記アダプターと前記ファンとの接続のための第二の接続部と、
をさらに有し、
前記第一の接続部と前記天井板との間、及び、前記第二の接続部と前記アダプターとの間のいずれか一方もしくは双方に、振動の低減のためのクッション材を有することを特徴とする請求項１乃至請求項５のいずれか一項に記載のエレベータのかご。
【発明の詳細な説明】
【技術分野】
【０００１】  本発明は、エレベータのかごに関する。
【背景技術】
【０００２】  従来、エレベータのかごにおける空気の循環に関しては、送風手段としての空調ファンが用いられている。ファン本体はエレベータのかごの天井板の上に設けられ、ルーバーを介してかご内部へと風が送られる。これまで、かご内に効率的に空気を送風するために、天井板に設けられる空気の吹き出し口の直上にファンを配置して送風する機構が設けられてきた。しかし、ファン本体が天井板吹き出し口の直上に配置されていることにより、かご内から天井を見上げた際、ルーバーの隙間を介してファン本体が見えてしまうといった意匠性の問題があった。【０００３】  このような従来技術に対して、ファン本体が直接視界に入らないように考慮したエレベータのかごが提案されている。
【先行技術文献】
【特許文献】
【０００４】
【特許文献１】実開昭６１−８３６８０号公報
【特許文献２】特許第５１５７５０９号公報
【特許文献３】特開２００９−２０８９２２号公報
【発明の概要】
【発明が解決しようとする課題】
【０００５】  意匠性の問題を解消するため、エレベータのかご本体もしくはかご内部に別の機構を加え、送風経路を変化させることでかご内の利用者からファン本体が直接視界に入らないようにしているものがある。例えば、照明の裏側に送風路を形成したものや、送風路内に偏風板を設置した造りのものがあり、いずれもかご内の意匠を考慮した構造が必要になる。他にも、天井板吹き出し口の意匠面側つまりかご内部側からパンチング処理プレート等を取り付けて、かごの上に設置されるファンがかご内から直接見えにくくなる対応をとっているものがある。この場合、かご内部へいわゆるシャワー状に空気が供給されるため、吹き出し口の開口面積が小さくなり、十分な量の風を送ることができない。【０００６】  一方、かご本体の構造を変えずに、動作中のファンが見えにくい構造を有しているものとして、天井板吹き出し口の直上からずらした位置にファンを設置しているものがある。これは、ファンと天井板の各吹き出し口との間に風を伝える部品を設け、ルーバーとファン本体との間に、ある程度の空間を確保している。そのため、視線を遮ることができ、意匠性の低下の要因を排除できる。【０００７】  しかし、例えば、空調ファン本体からかご内へ蛇腹状のホースを介して送風する場合、ファンの回転動作で生じた風はエネルギーの損失が起こり、風速が落ちてしまうという課題がある。さらに、空調ファンの設置の際の構成部品が多いと据付作業の効率が良いとは言い難く、かつ設置面積は広く必要となってしまう。【０００８】  以上のことから本発明では、空調ファンを設けるかご上のスペースをできるだけコンパクトに収め、エネルギーの損失を有効に抑制しつつ、かご内からファンが直接視界に入りにくい意匠的に優れたエレベータかごを提供することを目的とする。
【課題を解決するための手段】
【０００９】  実施形態のエレベータのかごは、エレベータのかごの天井板と、前記天井板よりも上部に位置し、前記かご内部に送り込む風を発生させるファンと、前記ファンに設けられ、前記ファンで発生させた風を送り出す孔である第一の吹き出し口と、前記天井板に設けられ、前記ファンで発生させた風をかご内に送り込む孔である第二の吹き出し口と、前記ファンと前記天井板の間に位置し、前記第二の吹き出し口の上に設けられ、前記第一の吹き出し口から流れてきた風を前記かご内へと導くアダプターと、を備え、前記アダプターは、前記天井板に対して前記ファンを傾斜して取り付けるための面である斜面と、該斜面に設けられ、前記第一の吹き出し口と接続され、前記第一の吹き出し口から送り込まれる風を流す孔である接続部と、を有し、前記第一の吹き出し口と前記第二の吹き出し口とは、投影面上重ならない位置に存在する。
【図面の簡単な説明】
【００１０】
【図１】図１は、本発明におけるエレベータのかごの構成を示す図である。
【図２】図２は、アダプターの斜視図である。
【図３】図３は、本実施形態の他の形状を示すアダプターの斜視図（１）である。
【図４】図４は、他の形状を示すアダプターの斜視図（２）である。
【図５】図５は、他の形状を示すアダプターの斜視図（３）である。
【図６】図６は、天井板と、アダプターと、ファンとの接続関係を示す斜視図である。
【図７】図７は、天井板と、アダプターと、ファンとの接続関係を示す側面図であり、乗客の視線の一例を示す図である。
【図８】図８は、アダプターの角度と設置スペースとの関係を示す図である。
【図９】図９は、第二実施形態における、天井板と、整風板を有するアダプターと、ファンとの接続関係を示す側面図である。
【図１０】図１０は、整風板を有するアダプターの斜視図である。
【図１１】図１１は、図９の機構に防音材を加えた、第三実施形態を説明する図である。
【図１２】図１２は、図９の機構にクッション材を加えた、第四実施形態を説明する図である。
【発明を実施するための形態】
【００１１】  ＜第一実施形態＞
以下、本発明実施形態の空調ファンを設置しているエレベータのかごについて、図面を参照しながら説明する。本実施形態は、意匠性の低下を有効に防ぎつつ、かご内への空調を適切に行う。
【００１２】  図１は、エレベータのかごの構成を示す図である。
【００１３】  エレベータのかご１は、床板２の上面外周に側板３を配置し、その上面に天井板５を取り付ける形で構成されている。かごドア４は、エレベータの出入口通路である図中左側に位置する。天井板５には、かご１内への空気循環のための孔部である、天井板吹き出し口６が設けられており、その天井板吹き出し口６の直上にアダプター７を設けている。アダプター７の面の一つには、長方形の細長い孔部であるファン吹き出し口接続部８が設けられている。そのファン吹き出し口接続部８に、ファン９に設けられたファン吹き出し口１０の凸部１１を挿し込むことでファン９を配置する。
【００１４】  次に、図２を用いて、アダプター７の構造を説明する。
【００１５】  図２において、アダプター７は、五角形の側面７Ａ，７Ｂ、長方形の側面７Ｃ，７Ｄ、斜面７Ｅ、上面７Ｆ、取り付け面７Ｇ，７Ｈからなる鋼板で構成されている。
【００１６】  斜面７Ｅには、ファン９を接続するための孔部である、ファン吹き出し口接続部８を設けている。ファン吹き出し口接続部８は、ファン吹き出し口１０の形状に合わせて開口部分の大きさや位置を変更してもよい。
【００１７】  また、アダプター７は底面を有しておらず、縁のある帽子状になっている。さらに、アダプター７は斜面７Ｅを有する形状であればよく、例えば、図３に示すように側面７Ｄを持たず、斜面７Ｅが直接、天井板５に接する構造でもよいし、あるいは、図４のように上面７Ｆを持たず、側面７Ｃから斜面７Ｅにつながる構造であってもよい。また、図５のように、側面７Ｄと上面７Ｆの両方を持たず、側面７Ａと側面７Ｂが三角形となる立体構造でもよい。
【００１８】  次に、図６を用いて、天井板５とアダプター７との設置構造、及びアダプター７とファン９との設置構造を説明する。
【００１９】  アダプター７は、天井板５に設けられている天井板吹き出し口６を覆うように直上に配置され、天井板吹き出し口６とファン吹き出し口接続部８とが投影面上重ならない位置に調整する。そして、アダプター７の取り付け面７Ｇ，７Ｈに設けたアダプター締結部１２にボルトを挿入することにより、アダプター７を天井板５に固定する。
【００２０】  一方、ファン９は、そのファン吹き出し口１０をアダプター７のファン吹き出し口接続部８の位置に重なるように合わせ、ファン吹き出し口１０に設けられている凸部１１をファン吹き出し口接続部８に挿し込む。そしてファン９の底面を斜面７Ｅに添わせるようにして安定させた後、ファン９の外枠に設けられた左右の取り付け面上のファン締結部１３にボルトを挿入することにより、ファン９をアダプター７に固定する。
【００２１】  本実施形態では、アダプター締結部１２、ファン締結部１３にそれぞれ２つずつ、計４つのボルトを用いて締結を行っているが、気密性を高める場合には数を増やしてもよい。また、ファン９及びアダプター７の締結には、各種溶接等のボルト締結以外の方法を用いてもよい。
【００２２】  図７は、かご１内から天井板吹き出し口６を見上げた際の乗客の視線と天井板５上の構造との関係を示す図である。
【００２３】  天井板吹き出し口６の縁には、ルーバー１４が、カバーの役割として、天井板吹き出し口６全体を覆うようにかご１内面側から取り付けられている。
【００２４】  また、本実施形態では、ファン吹き出し口１０と天井板吹き出し口６とが投影面上重ならず、つまり、乗客の視線１５とファン９とが重ならないようにしている。従って、かご１内の乗客が真下から天井を見上げた場合でも、ルーバー１４から天井板吹き出し口６を介して、ファン９内部の回転機構が見えにくくなる。
【００２５】  本実施形態において、天井板吹き出し口６とファン吹き出し口１０の二つの孔部が水平投影面上重なる位置には存在しないだけでなく、ファン９が天井板５に対して所定の角度だけ傾けている。
【００２６】  天井板５に対するファン９の角度は、かご上のスペースやかご内に送り込む空気のエネルギー損失に影響する。また、構造としてファン９の底面とアダプター７は接しているため、天井板５に対するファン９の角度は、アダプター７の斜面７Ｅの傾きの角度と同等である。
【００２７】  ここで図８を用いて、天井板５に対するファン９の設置角度θとアダプター７の設置の幅Ｗ及びかご上からのアダプター７の高さＨの関係を説明する。
【００２８】  ファン９の設置角度θを大きくすれば、設置の幅Ｗを小さくすることができ、天井上の空きスペースをより広く取ることができるため、据付や保守等の作業の際のスペースに余裕を作ることが可能である。しかし、ファン９の設置角度θが大きくなりすぎると図中右側のファン９の下側に位置する天井板５との間の空間が狭くなり、その空間の活用が難しくなる。天井板５の上は、エレベータの運行に係る他の装置も多く具設されているため、実際に作業スペースとして活用するだけでなく、他の装置を設置したりするためには、図中右側のファン９の下側に位置する天井板５との間の空間が広いほうが好ましい。このためには、ファン９の設置角度θは、およそ４５°であることが望ましい。
【００２９】  一方、ファン９の設置角度θを小さくすると、高さＨを抑えることが可能である。つまり、天井上のオーバーヘッドの隙間を比較的小さく抑えることができ、エレベータを内設する建物にとって最上階の余分なスペースを縮小できる。
【００３０】  ここで、高さＨは、ファン９の設置角度θが４５°で最大であり、角度を４５°から９０°へ向けて大きくしていく、あるいは４５°より０°に向けて小さくしていくと、高さＨは抑えることができる。
【００３１】  さらに、ファン吹き出し口１０から天井板吹き出し口６への距離が遠ければ遠いほど風のエネルギーの損失が起こり、送風効率が低下してしまう。つまり、ファン９の設置角度θが大きすぎると、ファン吹き出し口１０から天井板吹き出し口６までに距離が長くなり、かご１内へと風が流れ伝わるまでに風力が落ちてしまう。そのため、ファン９の設置角度θはおよそ４５°よりも大きくはせず、角度θを比較的緩やかにすることで、ファン吹き出し口１０から天井板吹き出し口６への距離を抑え、風力を維持することが可能である。
【００３２】  すなわち、設置の幅Ｗだけでなく、高さＨ及びファン吹き出し口１０から天井板吹き出し口６までの距離も配慮した場合、１°〜４５°の間としておよそ１５〜３０°が、幅Ｗと高さＨとの両方のスペースにバランス良い形となり、エネルギー損失も有効に抑制できる。このように、設置スペースの状況に応じてファン９の設置角度θを選定して載置すればよい。
【００３３】  ここでは、ファン９は、取付作業を容易に行うために、アダプター７の側面７Ｄの高さだけ嵩上げした位置に取り付けており、嵩上げしていない場合に比べて高さＨは有するが、ファン９が天井板５とは接していないため振動が伝わりにくいという利点がある。
【００３４】  その他、アダプター７内部に生じる空気の層は、ファン９本体の駆動音がかご１内へ伝わるのを抑制することができる。また、意匠性を考慮して天井板吹き出し口６を縮小する必要がないため、天井板吹き出し口６の大きさを縮小せず十分にとったまま、風をかご１内に送り込むことができ、ルーバー１４に生じる風切り音等の騒音を有効に抑制する。
【００３５】  また、ファン９の動作によって結露が生じることがあるが、ファン９を構成する外枠に傾きがあるため水滴の流れる経路や方向をある程度特定することが可能である。このため、水滴を集める機構もしくは吸収する機構をその特定の場所のみに設ければよく、かご１内への結露落下を簡素な構造で防止することができる。
【００３６】  以上に述べたように、本発明のエレベータのかご及び空調ファン設置方法によれば、かご１内を特別な構造にすることなく、かご１上の作業スペースを配慮しつつ、ファン９とルーバー１４とが投影面上重ならない位置に配置することで、かご１内部から見上げた際、ルーバー１４の隙間を通してファン９が見えず、意匠性の低下を有効に抑制することができる。
【００３７】  ＜第二実施形態＞
第二実施形態は、前述した第一実施形態でのファンの設備に加え、アダプター内に空気の流れを誘導可能にする整風板を有するものである。
【００３８】  図９は、整風板を有するアダプター７の側面図である。
【００３９】  整風板１６は、ファン吹き出し口接続部８から天井板吹き出し口６への空気の経路を限定するために用いており、二枚の鋼板から構成される。整風板１６は、ファン吹き出し口接続部８から天井板５中の天井板吹き出し口６の位置を繋ぐ形で対にして構成されている。
【００４０】  図１０は、整風板１６を有するアダプター７単体の斜視図である。
【００４１】  ファン吹き出し口接続部８の長辺の長さと天井までの長さそれぞれに適切に合わせた整風板１６が、ファン吹き出し口１０と天井板吹き出し口６とを繋ぐように設置されているため、ファン吹き出し口１０から吹き出されたかご内循環用の空気は、二枚の整風板１６の間を通り、天井板吹き出し口６へと流れ、ルーバー１４を介してかご１内に届く。
【００４２】  第一実施形態ではアダプター７内に余分な空間があるため、風の流れは乱流となり、エネルギーの損失が起こり易くなるため、風速が低下し得る。それに対し、本実施形態の構成によれば、ファン吹き出し口１０から吹き出されたかご内循環用の空気の流れがアダプター７内で乱れるのを防ぐため、エネルギーの損失を抑え、かご内循環用空気の速度低下を有効に抑制させることが可能となる。また、送風効率の損失を伴わずに風量を確保することができる。
【００４３】  ＜第三実施形態＞
第三実施形態は、前述した第二実施形態の構造に加え、騒音の要因となるファンの動作音を吸収する防音材を有するものである。
【００４４】  図１１は、図９における整風板を有するアダプターの機構に、本実施形態の防音材１７をさらに貼り付けた図である。ここでは、アダプター７の外壁及び整風板１６の双方に貼り付けているが、いずれか一方だけに貼り付けてもよい。防音材１７は、音楽室やコンサートホールに用いる凹凸のある吸音シートや遮音シートである。
【００４５】  ファン吹き出し口１０から吹き出されたかご内循環用の空気の風速が上がると、整風板１６とアダプター７で発生する騒音が増加する。そのため、防音材１７を有することで、騒音をより低減することができる。
【００４６】  ＜第四実施形態＞
第四実施形態は、前述した第二実施形態の構造に加え、アダプター締結部１２とファン締結部１３とに振動を和らげ、防振や防音に効果的であるクッション材を設けたものである。
【００４７】  図１２は、図９における天井板５にアダプター７を固定しているアダプター締結部１２とアダプター７にファン９を固定しているファン締結部１３のそれぞれの締結部に、クッション材１８を取り付けた図である。クッション材１８は、アダプター締結部１２、もしくはファン締結部１３のいずれか一方に装着してもよい。クッション材１８には、例えば、保護や緩衝材等に用いるゴムや金属バネのようなものを用いる。通常、アダプター７上部に設置されたファン９により発生する振動が、アダプター７を介して天井板５に伝わる。締結部にて固定する際、振動や音を吸収するクッション材１８を介して取り付けることで、かご１の天井板５への振動の伝播を低減することができる。さらに、ファン９本体からの騒音を発生させにくくする効果もある。
【００４８】  本発明のいくつかの実施形態を説明したが、これらの実施形態は、例として提示したものであり、発明の範囲を限定することは意図していない。これら新規な実施形態は、そのほかの様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】１…エレベータのかご、２…床板、３…側板、４…かごドア、５…天井板、６…天井板吹き出し口、７…アダプター、７Ａ，７Ｂ，７Ｃ，７Ｄ…側面、７Ｅ…斜面、７Ｆ…上面、７Ｇ，７Ｈ…取り付け面、８…ファン吹き出し口接続部、９…ファン、１０…ファン吹き出し口、１１…凸部、１２…アダプター締結部、１３…ファン締結部、１４…ルーバー、１５…視線、１６…整風板、１７…防音材、１８…クッション材
【要約】      （修正有）【課題】空調ファンを設けるためのかご上のスペースをできるだけコンパクトに収め、エネルギーの損失を有効に抑制しつつ、かご内からファンが直接視界に入りにくい意匠的に優れたエレベータかごを提供する。【解決手段】エレベータのかごは天井板５と天井板よりも上部に位置し、風を発生させるファン９とファンに設けられ、発生させた風を送り出す孔である第一の吹き出し口と天井板に設けられ発生させた風をかご内に送り込む孔である第二の吹き出し口と、ファンと天井板の間に位置し、第二の吹き出し口の上に設けられ第一の吹き出し口から流れてきた風をかご内へと導くアダプター７とを備え、アダプターは天井板に対してファンを傾斜して取り付けるための斜面と、斜面に設けられ、第一の吹き出し口と接続され第一の吹き出し口から送り込まれる風を流す孔である接続部と、を有し、第一の吹き出し口と第二の吹き出し口とは投影面上重ならない位置に存在する。【選択図】図７【図１】
0006818862.tif 000002
【図２】
0006818862.tif 000003
【図３】
0006818862.tif 000004
【図４】
0006818862.tif 000005
【図５】
0006818862.tif 000006
【図６】
0006818862.tif 000007
【図７】
0006818862.tif 000008
【図８】
0006818862.tif 000009
【図９】
0006818862.tif 000010
【図１０】
0006818862.tif 000011
【図１１】
0006818862.tif 000012
【図１２】
0006818862.tif 000013